(57)【要約】      （修正有）【課題】ＬＥＤモジュールの空間的な配置によって、放熱空間を増加させると共に、大角度全方位の光射出を実現して、ＬＥＤ電球の外観を小型化し、コストを低下させ、光射出効果を向上させるＬＥＤ電球を提供する。【解決手段】ランプハウジング１と、ＬＥＤモジュール２と、台座３と、駆動電源５と、ソケット６とを備え、前記台座３が底部のねじ山によってソケット６に取り付けられ、前記ＬＥＤモジュール２が駆動電源５に電気的に接続され、前記駆動電源５が前記台座３内に取り付けられ、ランプハウジング１が台座３の外に取り付けられたＬＥＤ電球に関する。前記台座３に、前記ＬＥＤモジュール２の空間的な配列を支持するための支持モジュールが設けられる。ＬＥＤモジュール２は、空間において配置されており、空間における範囲が比較的に大きく、放熱面積を増加させ、さらにＬＥＤ電球の大角度の発光を実現できる。【選択図】図１
0003178441.tif 000002
【実用新案登録請求の範囲】
【請求項１】
ＬＥＤモジュールと、台座と、駆動電源とを備え、前記ＬＥＤモジュールが前記駆動電源に電気的に接続され、前記駆動電源が前記台座内に取り付けられたＬＥＤ電球であって、前記台座に、前記ＬＥＤモジュールの空間的な配列を支持するための支持モジュールが設けられたことを特徴とするＬＥＤ電球。
【請求項２】
前記ＬＥＤモジュールは、少なくとも２つであり、空間において平面的に配列されたことを特徴とする請求項１に記載のＬＥＤ電球。
【請求項３】
前記ＬＥＤモジュールは、少なくとも２つであり、空間において分散形で傾斜的に配列されるか、又は、傾斜的に配列されることを特徴とする請求項１に記載のＬＥＤ電球。
【請求項４】
前記支持モジュールは、取付板と、ブラケットとからなり、前記取付板に、中心に凹溝を有する突出台が設けられ、前記ブラケットの底部に、前記凹溝とフィッティングして取り付けられる接続ピンが設けられており、前記ブラケットの前記接続ピンと反対側の端部に延伸座を有し、前記ＬＥＤモジュールが前記延伸座に取り付けられたことを特徴とする請求項１〜３のいずれか１項に記載のＬＥＤ電球。
【請求項５】
前記支持モジュールは、取付板と、ブラケットとからなり、前記取付板の中心に凹溝が設けられ、前記ブラケットの底部に、前記凹溝とフィッティングして取り付けられる接続ピンが設けられており、前記ブラケットの前記接続ピンと反対側の端部に延伸座を有し、前記ＬＥＤモジュールが前記延伸座に取り付けられたことを特徴とする請求項１〜３のいずれか１項に記載のＬＥＤ電球。
【請求項６】
前記支持モジュールは、取付板と、ブラケットとからなり、前記取付板と前記ブラケットとが一体化構造を構成し、前記ブラケットの前記取付板と反対側の端部に延伸座を有し、前記ＬＥＤモジュールが前記延伸座に取り付けられたことを特徴とする請求項１〜３のいずれか１項に記載のＬＥＤ電球。
【請求項７】
前記支持モジュールは、突出台とブラケットとからなり、前記突出台の中心に凹溝を有し、前記ブラケットの底部に、前記凹溝とフィッティングして取り付けられる接続ピンが設けられており、前記ブラケットの前記接続ピンと反対側の端部に延伸座を有し、前記ＬＥＤモジュールが前記延伸座に取り付けられたことを特徴とする請求項１〜３のいずれか１項に記載のＬＥＤ電球。
【請求項８】
前記ＬＥＤモジュールは、ＬＥＤチップ付き回路基板、又は、単一のＬＥＤモジュールであることを特徴とする請求項１に記載のＬＥＤ電球。
【考案の詳細な説明】
【技術分野】
【０００１】
本考案は、照明器具に関し、特に、ＬＥＤ電球に関する。
【背景技術】
【０００２】
従来のＬＥＤ電球には、光源としてＬＥＤを採用しても、ＬＥＤモジュールを採用しても、放熱問題がある。同時に、大部分のＬＥＤモジュールの配置は、単一の平面であるので、ＬＥＤ電球から発せられる光の発光角度は小さい。１）現在、ＬＥＤ電球の放熱問題を解決するために、主にＬＥＤの発光量とパワーを制限している。これらを制限しない場合、ＬＥＤ電球の寿命が短くなる。２）発光角度が小さい問題を解決するために、ＬＥＤモジュールを導光柱又は放熱柱に吸着させて、大きな発光角度を形成することが採用されている。この場合、ＬＥＤモジュールが集中して多く放熱するので、より大きな放熱問題が生じる。導光柱又は放熱柱を大きいものにして放熱作用を発揮させた場合、コストが増加し、且つ美的ではない。
【考案の概要】
【考案が解決しようとする課題】
【０００３】
本考案は、従来の技術における欠点を克服し、ＬＥＤモジュールの空間的な配置によって、放熱空間を増加させると共に、大角度全方位の光射出を実現して、ＬＥＤ電球の外観を小型化し、コストを低下させ、光射出効果を向上させることを目的とする。
【課題を解決するための手段】
【０００４】
本考案は、ＬＥＤモジュールと、台座と、駆動電源とを備え、前記ＬＥＤモジュールが前記駆動電源に電気的に接続され、前記駆動電源が前記台座内に取り付けられ、前記台座に前記ＬＥＤモジュールの空間的な配列を支持するための支持モジュールが設けられたＬＥＤ電球によって実現される。
【０００５】
更に、前記ＬＥＤモジュールは、少なくとも２つであり、空間において平面的に配列される。
【０００６】
更に、前記ＬＥＤモジュールは、少なくとも２つであり、空間において分散形で傾斜的に配列されるか、又は、傾斜的に配列される。
【０００７】
具体的には、前記支持モジュールは、取付板と、ブラケットとからなり、前記取付板に、中心に凹溝を有する突出台が設けられ、前記ブラケットの底部に、前記凹溝とフィッティングして取り付けられる接続ピンが設けられており、前記ブラケットの前記接続ピンと反対側の端部に延伸座を有し、前記ＬＥＤモジュールが前記延伸座に取り付けられる。
【０００８】
具体的には、前記支持モジュールは、取付板と、ブラケットとからなり、前記取付板の中心に凹溝が設けられ、前記ブラケットの底部に、前記凹溝とフィッティングして取り付けられる接続ピンが設けられており、前記ブラケットの前記接続ピンと反対側の端部に延伸座を有し、前記ＬＥＤモジュールが前記延伸座に取り付けられる。
【０００９】
具体的には、前記支持モジュールは、取付板と、ブラケットとからなり、前記取付板と前記ブラケットとが一体化構造を構成し、前記ブラケットの前記取付板と反対側の端部に延伸座を有し、前記ＬＥＤモジュールが前記延伸座に取り付けられる。
【００１０】
具体的には、前記支持モジュールは、突出台と、ブラケットとからなり、前記突出台の中心に凹溝を有し、前記ブラケットの底部に、前記凹溝とフィッティングして取り付けられる接続ピンが設けられており、前記ブラケットの前記接続ピンと反対側の端部に延伸座を有し、前記ＬＥＤモジュールが前記延伸座に取り付けられる。
【００１１】
更に、前記ＬＥＤモジュールは、ＬＥＤチップ付き回路基板、又は、単一のＬＥＤモジュールである。
【考案の効果】
【００１２】
本考案は、以下のような技術効果がある。
【００１３】
１、ＬＥＤモジュールは、空間において配置されており、集中していないので、空間における範囲が大きく、放熱面積を増加させ、ＬＥＤ電球の放熱問題を克服できる。
【００１４】
２、本考案は、空間においてＬＥＤモジュールを多種の方式を採用して配置しているので、ＬＥＤ電球の大角度の発光を実現できる。
【図面の簡単な説明】
【００１５】
【図１】本考案に係る実施例の分解図である。
【図２】本考案に係る実施例におけるＬＥＤモジュールが空間において一定の傾斜角度で配列された模式図である。
【図３】本考案に係る実施例におけるＬＥＤモジュールが空間において一定の角度で配列されており、且つランプハウジングを取り付けた模式図である。
【図４】本考案に係る実施例におけるＬＥＤモジュールが空間において一定の角度で配列されており、且つ他のランプハウジングを取り付けた模式図である。
【図５】本考案に係る実施例におけるＬＥＤモジュールが空間において三角形で配列された模式図である。
【図６】本考案に係る実施例におけるＬＥＤモジュールが空間において「Ｙ」形で配列された模式図である。
【考案を実施するための形態】
【００１６】
本考案の目的、技術方案及び長所をより明らかにするために、以下、添付図面及び実施例を参照しながら、本考案を更に詳しく説明する。ここで述べた具体的な実施例は、本考案を解釈するためだけのものであり、本考案を限定しないことを理解すべきである。
【００１７】
本考案は、１つのＬＥＤモジュールの発熱が一定であることに基づいて、採用したＬＥＤモジュールの空間的な配置によって、空間におけるＬＥＤモジュールの放熱面積を増大させ、放熱効果をより向上させると共に、１つのＬＥＤモジュールの発光の角度と方向が一定であり、空間において採用した配置方式が異なることによって、ＬＥＤ電球の発光角度を増加させて、光エネルギーを必要な要求に達させる。
【００１８】
図１〜図６を参照する。本考案のＬＥＤ電球の一例は、上述した構想により、ランプハウジング１と、ＬＥＤモジュール２と、台座３と、駆動電源５と、ソケット６とを備える。台座３は底部のねじ山３１によってソケット６に取り付けられ、ＬＥＤモジュール２は接続柱４によって駆動電源５に電気的に接続される。ＬＥＤモジュール２は導線によって駆動電源５に電気的に接続されてもよい。駆動電源５は台座の内部に取り付けられ、ランプハウジング１は台座の外に取り付けられる。台座３に、ＬＥＤモジュールの空間的な配列を支持するための支持モジュールが設けられており、ＬＥＤモジュールが浮かんでいるので、ＬＥＤモジュールの放熱面積を増加させて、放熱効果を向上させると共に、ＬＥＤ電球の発光角度を増大させることができる。
【００１９】
更に、図５〜図６を参照する。ＬＥＤモジュールは、少なくとも３つであり、空間において首尾が接続した平面三角形、多角形で配列され、又は、平面「Ｙ」字形、分散形で配列される。これにより、ＬＥＤモジュール２の取付を更に容易にし、美的にもできる。
【００２０】
更に、図１〜図４及び図６を参照する。ＬＥＤモジュールは、少なくとも３つであり、空間において分散形、多角形又は「Ｙ」字形で傾斜的に配列される。これにより、ＬＥＤ電球の発光角度をより大きくすることができる。
【００２１】
図１を参照する。本考案に係る具体的な実施例において、支持モジュールは、取付板３２と、ブラケット３３とからなり、前記取付板３２に、中心に凹溝３２１１を有する突出台３２１が設けられ、前記ブラケット３３の底部に、前記凹溝３２１１とフィッティングして取り付けられる接続ピン３３２が設けられ、前記ブラケット３３の前記接続ピン３３２と反対側の端部に延伸座３３１を有し、ＬＥＤモジュール２が延伸座３３１に取り付けられるようにしてよい。本実施例によれば、より美的になり、且つ各部材の空間位置が固定しており、組み立てを容易にできる。
【００２２】
図２〜図４を参照し、本考案に係る具体的な実施例において、支持モジュールは、取付板３２と、ブラケット３３とからなり、前記取付板３２の中心に凹溝３２１１が設けられ、前記ブラケット３３の底部に、前記凹溝３２１１とフィッティングして取り付けられる接続ピン３３２が設けられ、前記ブラケット３３の前記接続ピン３３２と反対側の端部に延伸座３３１を有し、ＬＥＤモジュール２が延伸座３３１に取り付けられるようにしてよい。これにより、より美的になり、且つ各部材の空間位置が固定しており、組み立てを容易にできる。
【００２３】
図５〜図６を参照し、本考案に係る具体的な実施例において、支持モジュールは、取付板３２と、ブラケット３３とからなり、前記取付板３２と前記ブラケット３３とが一体化構造を構成し、前記ブラケット３３の前記取付板３２と反対側の端部に延伸座３３１を有し、ＬＥＤモジュール２が延伸座３３１に取り付けられるようにしてよい。取付板３２と前記ブラケット３３とが一体化構造であるので、製品の組み立て時間を節約して、使用寿命をより長くできる。
【００２４】
本考案に係る具体的な実施例において、支持モジュールは、更に、突出台３２１と、ブラケット３３とからなり、前記突出台の中心に凹溝３２１１を有し、前記ブラケット３３の底部に、前記凹溝３２１１とフィッティングして取り付けられる接続ピン３３２が設けられ、前記ブラケット３３の前記接続ピン３３２と反対側の端部に延伸座３３１を有し、ＬＥＤモジュール２が延伸座３３１に取り付けられるようにしてよい。台座の放熱面積を増大させることができるので、放熱効果をより向上させることができる。
【００２５】
更に、前記ＬＥＤモジュール２は、ＬＥＤチップ付き回路基板、又は、単一のＬＥＤモジュールでもよい。
【００２６】
本考案の前記台座7は、金属、セラミックス、プラスチック等の材料である。
【００２７】
以上で述べたのは本考案の好ましい実施例だけであり、その構造が以上で挙げられた形状に限定されるものではなく、本考案の趣旨と原則から逸脱しない限り行われた修正や、同等な切り替え、改良等がすべて本実用新案登録請求の範囲に含まれるべきである。
【図１】
0003178441.tif 000003
【図２】
0003178441.tif 000004
【図３】
0003178441.tif 000005
【図４】
0003178441.tif 000006
【図５】
0003178441.tif 000007
【図６】
0003178441.tif 000008